(57)【要約】      （修正有）【課題】紐状体の太さとほぼ等しい太さを有するものであって、なおかつ、雌雄交差点がＶ字状となる留め具を提供する。【解決手段】紐状体１１と、前記紐状体１１の両末端に取り付けられる雄部材２と雌部材３とからなる装身具用の留め具である。前記雄部材２は、頭部２２と、この頭部２２よりも小径の首部２３と、細長い胴部２５と、前記紐状体１１と連結する連結部を有する。前記雌部材３は、細長い胴部３３と、前記頭部２２の挿入を許容する貫通孔３２と、前記貫通孔３２の壁面に形成された開口と、前記開口から前記雌部材３の長手方向に伸びる通路３４と、前記開口に面して配置され、バネ３６で付勢された球状体３５と、前記紐状体１１と連結する連結部を有する。前記雄部材２の前記頭部２２が前記雌部材３の貫通孔３２にほぼ直角に連結される。【選択図】図４
2022001169.tif 000002
【特許請求の範囲】
【請求項１】
紐状体（１１）と、前記紐状体（１１）の両末端に取り付けられる雄部材（２）と雌部材（３）とからなる装身具用の留め具（１）であって、
前記雄部材（２）は、頭部（２２）と、この頭部（２２）よりも小径の首部（２３）と、細長い胴部（２５）と、前記紐状体（１１）と連結する連結部を有し、
前記雌部材（３）は、細長い胴部（３３）と、前記頭部（２２）の挿入を許容する貫通孔（３２）と、前記貫通孔（３２）の壁面に形成された開口（３４１）と、前記開口（３４１）から前記雌部材（３）の長手方向に伸びる通路（３４）と、前記開口（３４１）に面して配置され、バネ（３６）で付勢された押圧体（３５）と、前記紐状体（１１）と連結する連結部を有し、
前記雄部材（２）の前記頭部（２２）が前記雌部材（３）の貫通孔（３２）にほぼ直角に連結される、
ことを特徴とする装身具用の留め具。
【請求項２】
前記紐状体（１１）と連結する雄部材（２）の連結部が、雄部材（２）の後端に位置する空洞（２６）と、前記紐状体（１１）末端に取り付けられた外筒（５）の係合である請求項１記載の留め具。
【請求項３】
前記紐状体（１１）と連結する雌部材（３）の連結部が、雌部材（３）の後端に位置する通路（３４）と、前記紐状体（１１）末端に取り付けられた外筒（７）の係合である請求項１又は２記載の留め具。
【請求項４】
前記雌雄部材（２，３）がステンレス鋼製であり、前記首部（２３）および貫通孔（３２）が金属切削加工により形成されたものである請求項１〜３のいずれかに記載の留め具。
【請求項５】
前記紐状体（１１）の直径が前記雄部材（２）の連結部又は雌部材（３）の連結部の９０％以上である請求項１〜４のいずれかに記載の留め具。
【請求項６】
前記雌雄部材（２，３）の横断形状が円形または多角形である請求項１〜５のいずれかに記載の留め具。
【発明の詳細な説明】
【技術分野】
【０００１】
本発明は、ネックレス、ブレスレット、ペンダントその他の紐状装身具の紐両端を開閉（着脱）するのに用いる留め具に関する。
【背景技術】
【０００２】
紐状装身具の紐両端部を開閉する留め具には、多数のものが知られている。それらの多くは、紐状体（ストラップ、チェーン、金属線、等）の端部に雌部材又は雄部材を設け、両部材を着脱自在に係合させるようにしている。
【０００３】
この種の留め具は比較的に簡単な構造のものが多いので、閉鎖時に開閉具の位置が安定せずにぐらついたり、何かのはずみで分離したりすることがある。それを避けるために、雌雄部材を常に閉鎖位置に押し付けるバネやゴムのような付勢具を設けることが知られている（例えば下記特許公報参照）。
【先行技術文献】
【特許文献】
【０００４】
【特許文献１】特開２００２-３２７８９３（特許第７７９８９２号）
【特許文献２】特許第６２８６５９４号
【特許文献３】特開２００７-８２６０３（特許第４５５９３３０号）
【特許文献４】実用新案登録第３２１２６５６号
【発明の概要】
【発明が解決しようとする課題】
【０００５】
本発明が対象とする装身具用の留め具は、紐状体の太さとほぼ等しい太さを有するものであって、なおかつ、雌雄交差点がＶ字状となるものである（添付図１参照）。雌雄交差点をＶ字状とするのは、首周りにすっきりした印象を与えるという、主としてデザイン的な観点に基づく。
【０００６】
それに対して、上記の各従来発明・考案は、特許文献３を除き、紐状体部分の太さよりもかなり幅広の留め具であり、必ずしも本発明の用途には適用できない。特許文献３は本出願人の特許であるが、留め具同士が直線状に配置されるので、これもＶ字型の留め具にはそのままでは適用できない。
【０００７】
本発明はこれらの問題点を解消するために行われたものであり、本発明の留め具は紐状体の太さとほぼ等しい太さを有するものであって、なおかつ、雌雄交差点がＶ字状となる留め具を提供することを課題とする。
【課題を解決するための手段】
【０００８】
上記課題を解決する本発明は、紐状体と、前記紐状体の両末端に取り付けられる雄部材と雌部材とからなる装身具用の留め具であって、前記雄部材は、頭部と、この頭部よりも小径の首部と、細長い胴部と、前記紐状体と連結する連結部を有し、前記雌部材は、細長い胴部と、前記頭部の挿入を許容する貫通孔と、前記貫通孔の壁面に形成された開口と、前記開口から前記雌部材の長手方向に伸びる通路と、前記開口に面して配置され、バネで付勢された押圧体と、前記紐状体と連結する連結部を有し、前記雄部材の前記頭部が前記雌部材の貫通孔にほぼ直角に連結されることを特徴とする。「ほぼ直角」というのは交差角度が約８０〜１００度をいう。好ましくは８５〜９５度である。
【０００９】
好ましくは、前記紐状体と連結する雄部材の連結部が、雄部材の後端に位置する空洞と、前記紐状体末端に取り付けられた爪部の係合である。
【００１０】
同様に好ましくは、前記紐状体と連結する雌部材の連結部が、雌部材の後端に位置する通路と、前記紐状体末端に取り付けられた爪部の係合である。
【００１１】
好ましくは、前記雌雄部材がステンレス鋼製であり、前記首部および貫通孔が金属切削加工により形成されたものである。
【００１２】
好ましくは、前記紐状体の直径は前記雄部材の連結部又は雌部材の連結部の直径の９０％以上、より好ましくは９５％以上である。これにより、本発明の留め具は紐状体の太さとほぼ等しい太さを有するものとなる。
【００１３】
バネで付勢される押圧体としては、金属球が好ましいが通路から脱落せず、突出可能な形状であればよく、例えば、円錐、段差のある立方体、円柱でもよい。
【００１４】
前記雌雄部材の横断面形状は円形が好ましいが、多角形（例えば、四角形、五角形、六角形、八角形）であってもよい。
【発明の効果】
【００１５】
本発明によれば、紐状体の太さとほぼ等しい太さを有するものであって、なおかつ、雌雄交差点がＶ字状となる装身具用の留め具が得られる。また、雄部材を雌部材に挿入するのに方向性がないので、貫通孔のどちらの方向からでも挿入可能である。
【図面の簡単な説明】
【００１６】
【図１】本発明の１実施例に係る装身具用の留め具の全体正面図である
【図２】同右側面図である。
【図３】図２の矢視断面図である。
【図４】図３の矢視部分拡大断面図であり、（ａ）は閉鎖時、（ｂ）は開放時である。
【図５】図４（ｂ）状態の展開斜視図である。
【図６】雌部材の（ａ）平面図、（ｂ）正面図、（ｃ）側面図、（ｄ）前記（ｃ）の矢視断面図、（ｅ）底面図である。
【図７】雄部材の（ａ）平面図、（ｂ）正面図、（ｃ）側面図、（ｄ）前記（ｃ）の矢視断面図、（ｅ）底面図である。
【図８】爪部分の（ａ）平面図、（ｂ）正面図、（ｃ）背面図、（ｄ）側面図、（ｅ）底面図である。
【図９】第１外筒部分の（ａ）平面図、（ｂ）正面図、（ｃ）底面図、（ｄ）縦断面図である。
【図１０】第２外筒部分の（ａ）平面図、（ｂ）正面図、（ｃ）底面図、（ｄ）縦断面図である。
【発明を実施するための形態】
【００１７】
以下、添付の図面に基づき、本発明の実施例を説明する。
【実施例１】
【００１８】
図１、図２は、ネックレス１の全体図であり、ストラップ１１の両末端にそれぞれ留め具が固定されている。図１〜図５に示すように、留め具は雄部材２と雌部材３からなり、両者は開閉（着脱）自在である。図１〜図４（ａ）は閉鎖状態であり、このとき、留め具はＶ字状に交差している。「Ｖ字状」というのは交差角度が約８０〜１００度をいう。図４（ｂ）が開放状態である。好ましくは、前記ストラップ１１の直径は雄部材２の連結部又は雌部材３の連結部の直径の９０％以上、好ましくは９５％以上である。
【００１９】
図４と図５が分かりやすいので、以下、これらの図に基づき、説明する。
【００２０】
＜雄部材２＞
雄部材２は、図４（右）、図５（右）、図6に示すように、細長い円柱体であり、先端に胴部よりもやや小径な部分が形成されている。その小径部の先端面には面取り部２１が形成され、長手方向中央部には小径部よりもさらに小径の首部２３が形成されている。したがって、雄部材の外観は民芸品のこけし人形のようであり、上から、頭部２２、首部２３、肩部２４、胴部２５のようにも見える。
【００２１】
これら雄部材２の凹凸は樹脂成型でもよいが、金属の切削加工によるのが最も好ましい。使用する金属としてはどのようなものでもよいが、例えばチタンやステンレス鋼で製作すると美しく、高級感がある。雄部材２の断面形状は円形が好ましいが、他に多角形（例えば、四角形、五角形、六角形、八角形）とすることもできる。
【００２２】
雄部材２の後端部には円筒状の空洞２６が切削加工されている。この空洞はストラップ１１末端を挿入し固定するために用いられる。図５に示すように、ストラップ１１末端側に、金属板を巻き付けた爪部４と、リング状の外筒５が設けられている。そうすることで、ストラップ１１と爪部４が固定され、爪部４が外筒５より抜けない状態となる。この状態でストラップ１１末端が空洞２６に圧入されると、リング状の外筒５と空洞壁２６とが摩擦係合し、ストラップ１１が位置固定される。
【００２３】
加工前の爪部４を図８に示す。加工前は（ｄ）に示すように断面がＪ字状の金属板である。Ｊ字の窪み４１の中にストラップ１１を入れ、金属板をストラップの周囲に巻き付けて爪部４とするのである。先に外筒５を取り付けてから、爪部４でとめる。同様に取り付け前の外筒５を図９に示す。外筒５は段部５１を有するリングである。
【００２４】
＜雌部材３＞
雌部材３は、図４（左）、図５（左）、図７に示すように、細長い円柱体であり、先端にキャップ３１と胴部３３の間に貫通孔３２が設けられている。キャップ３１は単に装飾目的のものであり、材質や色彩を変えるために設けられている。貫通孔３２は、図４、図５に示すように、結合時に雌雄部材がほぼ直角になるように雄部材２の頭部２２が挿入される。その結果、雌雄部材の連結状態はＶ字状である。
【００２５】
雌部材３も金属の切削加工によって製作するのが最も好ましい。使用する金属としてはどのようなものでもよいが、例えばチタンやステンレス鋼で製作すると美しく、高級感がある。雄部材２の断面形状は円形が好ましいが、他に多角形（例えば、四角形、五角形、六角形、八角形）とすることもできる。
【００２６】
貫通孔３２の壁には雌部材３の胴部３３を長手方向に貫通する管状通路３４の一端が開口している。この開口３４１に面して、貫通孔３２側に向かってわずかに突出しているのが、結合時に雄部材２の首部２３を押圧する金属球３５である。この金属球３５は、管状通路３４内に配置されたコイルバネ３６によって貫通孔３２側に付勢されている。コイルバネ３６の終端となる位置にストッパー３７が配置されている。加工前のストッパー３７は、図１０に示すように、分厚いリングである。
【００２７】
首部２３を押圧するのに金属球３５の代わりに、円錐、段差のある立方体、円柱を用いることもできる。
【００２８】
さらに、雄部材２と同様に、ストラップ１１末端側に、金属板を巻き付けた爪部６と、リング状の外筒７が設けられている。この状態でストラップ末端が管状通路３４に圧入されると、リング状の外筒７と通路３４の壁とが摩擦係合し、ストラップ１１が位置固定される。
【００２９】
図7（ｄ）に示すように、雌部材３には、前記管状通路３４が段部３４２、３４３、３４４、３４５を形成しつつ連通している。段部３４２は金属球３５が脱落しないためのものである。段部３４３はストッパー３７を固定するのに用いられる。段部３４４、３４５は外筒７を固定するのに用いられる。
【００３０】
雌部材３の爪部６は雄部材２の爪部４（図８参照）と同じ構造であり、雌部材３の外筒７は雄部材２の外筒５（図９参照）と同じ構造である。
【００３１】
＜雌雄部材の結合＞
雌雄部材２、３の結合の仕方は、上記説明からすでに明らかであるように、開放状態から閉鎖状態にするには、雄部材２の頭部２２を雌部材３の貫通孔３２に挿入するだけでよい。その状態で雄部材２の首部２２が雌部材３の金属球３５にはまり、位置が固定される。この状態は軽いロック状態であって、手で引き抜けば抜ける程度のものである。閉鎖状態から開放状態にするには、特別なロック解除作業は不要であり、単に手で引き抜けばよい。
【００３２】
雄部材を雌部材に挿入するのに方向性がないので、貫通孔のどちらの方向からでも挿入可能である。
【００３３】
この装身具は、肩部や頸部のコリを解消することを目的に、磁気を持たせて例えば磁気ネックレスとすることもできる。
【符号の説明】
【００３４】
１   ネックレス（装身具）
１１ ストラップ（紐状体）
２   雄部材
２１ 面取り部
２２ 頭部
２３ 首部
２４ 肩部
２５ 胴部
２６ 空洞
３   雌部材
３１ キャップ
３２ 貫通孔
３３ 胴部
３４ 管状通路
３４１  開口
３４２〜３４５     段部
３５ 金属球（押圧体）
３６ コイルバネ
３７ ストッパー
４   爪部
４１ 窪み
５   外筒
５１ 段部
６   爪部
７   外筒
【図１】
2022001169.tif 000003
【図２】
2022001169.tif 000004
【図３】
2022001169.tif 000005
【図４】
2022001169.tif 000006
【図５】
2022001169.tif 000007
【図６】
2022001169.tif 000008
【図７】
2022001169.tif 000009
【図８】
2022001169.tif 000010
【図９】
2022001169.tif 000011
【図１０】
2022001169.tif 000012